(57)【要約】【課題】入力映像あるいは文字情報を提供する装置の着脱時や次のプログラムの起動時に表示する特別な映像を必要としない映像表示装置および表示方法を提供する。【解決手段】この発明は、２フレーム分の画像データをフレーム毎に保持し、任意のフレームが保持する画像データを処理して表示素子が映像出力を生起可能に出力し、入力部への入力画像データの入力がないことを検出した場合、画像データのうちの更新されていないフレームが保持する画像データを繰り返し読み出して表示素子に出力することを特徴とする。【選択図】  図１
2010152007.tif 000002
【特許請求の範囲】
【請求項１】
画像データを少なくとも２フレーム分保持するメモリモジュールと、
前記メモリモジュールが保持する画像データを処理して表示素子に出力する信号処理モジュールと、
前記メモリモジュールに入力する入力画像データを受け付ける入力部と、
前記入力部への入力画像データの入力がないことを検出した場合に、前記信号処理モジュールに、前記メモリモジュールが保持する画像データのうちの更新されていないフレームが保持する画像データを繰り返し読み出すよう制御する制御モジュールと、
を有することを特徴とする映像表示装置。
【請求項２】
前記入力部への入力画像データの入力がないことを入力画像データに付随する同期信号により検出する信号検出モジュールをさらに有することを特徴とする請求項１記載の映像表示装置。
【請求項３】
前記制御モジュールは、前記入力部への入力画像データの入力がないことを検出した場合に、前記信号処理モジュールに、前記メモリモジュールが保持する画像データのうちの更新されていないフレームが保持する画像データを、一定時間の間、繰り返し読み出すよう制御することを特徴とする請求項１記載の映像表示装置。
【請求項４】
２フレーム分の画像データをフレーム毎に保持し、
任意のフレームが保持する画像データを処理して表示素子が映像出力を生起可能に出力し、
入力部への入力画像データの入力がないことを検出した場合、画像データのうちの更新されていないフレームが保持する画像データを繰り返し読み出して表示素子に出力することを特徴とする表示方法。
【請求項５】
入力部への入力画像データの入力がないことを検出した場合、画像データのうちの更新されていないフレームが保持する画像データを、一定時間の間、繰り返し読み出して表示素子に出力することを特徴とする請求項４記載の表示方法。
【発明の詳細な説明】
【技術分野】
【０００１】
この発明は、入力映像や文字情報を表示する映像表示装置及び表示方法に関する。
【背景技術】
【０００２】
入力映像信号や文字情報を表示する映像表示装置として、テレビ装置や投写型表示装置（プロジェクタ装置）が広く普及している。なお、テレビ装置の分類においても、投写型を採用するものもある。
【０００３】
プロジェクタ装置においては、映像表示素子として、ＬＣＤ（Liquid Crystal Display）やＤＭＤ（登録商標，Digital Micro-mirror Device）を用いるものが、広く知られている。
【０００４】
プロジェクタ装置を用いる場面、例えばプレゼンテーション（プレゼン）においては、発表者（プレゼンを行う人物）が交代する際に、プレゼンに用いたＰＣ（Personal Computer）との間で映像信号の受け渡しに用いたケーブルが次のプレゼンに用いるＰＣと接続されるまでの間、あるいは予め用意された次のプレゼン用のプログラムが起動されるまでの間、プロジェクタ装置からは、無信号を示す文字列あるいは記号（ロゴマーク）やブルーバック（画面または表示）として予め用意された特別な映像が表示される。
【０００５】
特許文献１には、入力インターフェース端子（複数）から所望の画像情報が入力される入力インターフェース端子をすばやく選択し、投影するプロジェクタ装置、すなわち入力画像情報（映像信号）の切れ目を実質的に抑止するプロジェクタ装置が示されている。
【特許文献１】特開２００５−２５８２９１
【発明の開示】
【発明が解決しようとする課題】
【０００６】
しかしながら、特許文献１は、複数の入力インターフェースを用い、複数の入力映像がある場合に映像信号の切れ目を実質的に抑止することを示すのみで、ケーブルの抜き挿しや、次のプログラムが起動するまでの間の映像表示に関する記載は、見当たらない。
【０００７】
この発明の目的は、入力映像あるいは文字情報を提供する装置の着脱時や次のプログラムの起動時に表示する特別な映像を必要としない映像表示装置および表示方法を提供することである。
【課題を解決するための手段】
【０００８】
この発明は、上記問題点に基づきなされたもので、画像データを少なくとも２フレーム分保持するメモリモジュールと、前記メモリモジュールが保持する画像データを処理して表示素子に出力する信号処理モジュールと、前記メモリモジュールに入力する入力画像データを受け付ける入力部と、前記入力部への入力画像データの入力がないことを検出した場合に、前記信号処理モジュールに、前記メモリモジュールが保持する画像データのうちの更新されていないフレームが保持する画像データを繰り返し読み出すよう制御する制御モジュールと、を有することを特徴とする映像表示装置を提供するものである。
【発明の効果】
【０００９】
この発明の一つの実施の形態によれば、映像信号の受け渡しに用いるケーブル等の着脱の間、あるいは予め用意されたプログラムが起動されるまでの間、映像表示装置から、直前に入力していた映像信号の画像データが継続して表示される。これにより、無信号を示す文字列あるいは記号（ロゴマーク）やブルーバック（画面または表示）として特別な映像を用意する必要がなくなり、映像表示装置に要求されるメモリの容量が、低減可能となる。
【発明を実施するための最良の形態】
【００１０】
以下、図面を参照して、本発明の実施の形態の一例について説明する。
【００１１】
図１は、この発明を適用した映像表示装置の実施の一形態を示す。なお、以下に説明する各要素において、「モジュール」と呼称する要素は、ハードウェアで実現するものであってもよいし、ＣＰＵ等を使ってソフトウェアで実現するものであってもよい。
【００１２】
図１に示す映像表示装置１は、入力映像信号に対応する映像を生起する映像表示素子１０、映像表示素子１０が表示すべき映像信号すなわち入力映像信号を受け付ける信号入力ポート１１、信号入力ポート１１に入力される入力映像信号を映像表示素子１０が表示可能に処理する信号処理モジュール１２、信号入力ポート１１に入力映像信号が入力されていること（すなわち入力映像信号の有無）を検出する信号検出モジュール１３、信号検出モジュール１３が検出した入力映像信号の有無に基づいて信号処理モジュール１２に、入力映像信号の有無を示す切り替え信号を供給するタイミング制御モジュール１４を、少なくとも含む。なお、信号処理モジュール１２には、画像メモリ１５が接続される。
【００１３】
映像表示素子１０は、例えばＬＣＤ（Liquid Crystal Display）やＤＭＤ（登録商標，Digital Micro-mirror Device）である。なお、映像表示素子１０がＬＣＤである場合は、図１に概略を示したように、映像表示素子１０の映像出力側に位置される投影（拡大）レンズ１６に対して映像表示素子１０が生起した映像を入射可能に、照明装置（ランプ装置）１７が設けられる。また、映像表示素子１０がＤＭＤである場合は、詳述しないが、ＤＭＤにより生起される画像光がレンズ１６に入射可能に、レンズ１６の側に、照明装置（ランプ装置）１７が設けられる。
【００１４】
信号入力ポート１１に入力される入力映像信号は、同期信号を伴う。従って、入力映像がない場合（無信号状態）は、同期信号の入力もなくなる。従って、信号検出モジュール１３により同期信号の入力の有無を検出することで、信号入力ポート１１に映像入力があるか否かを検出できる。
【００１５】
信号入力ポート１１に入力された入力映像信号は、信号処理モジュール１２を経由して画像メモリ１５に一旦記憶される。映像出力時（映像生起時）には、信号処理モジュール１２により、拡大時の隣接画素とのつながり（稜線）を改善するスケーリング処理や予め決められた文字情報やＧＵＩ（Graphical User Interface）映像と出力映像とを表示画面（出力映像）上で重ね合わせるＯＳＤ（On Screen Display）処理等が実行され、映像表示素子１０に入力される。なお、信号処理モジュール１２は、詳述しないが、Ａ−Ｄ（Analog - Digital）変換モジュールを含み、入力映像信号がアナログ信号である場合には、デジタル信号に変換することはいうまでもない。
【００１６】
画像メモリ１５は、図２に一例を示すが、映像信号２フレーム分の容量を有する。すなわち、図２において、領域Ａおよび領域Ｂそれぞれが１フレーム分の記憶容量を有する。
【００１７】
より詳細には、信号入力ポート１１に入力された映像信号の第一のフレーム（１フレームめ）の画像データを、画像メモリ１５のうち１フレーム分の記憶容量を有する領域Ａに書き込む。
【００１８】
続いて、第二のフレーム（２フレームめ）の映像信号の画像データを、画像メモリ１５の残る１フレーム分の記憶容量を有する領域Ｂに書き込む。このとき、領域Ａに書き込んだ１フレームめの画像データを信号処理モジュール１２により処理して、映像表示素子１０に出力する。
【００１９】
さらに続く第三のフレーム（２フレームめ）の映像信号の画像データを、画像メモリ１５の領域Ａに書き込む。このとき、領域Ｂに書き込んだ２フレームめの画像データを信号処理モジュール１２により処理して、映像表示素子１０に出力する。
【００２０】
以下同様に、画像メモリ１５の領域Ａ及び領域Ｂのそれぞれに、１フレーム分ずつの画像データが交互に書き込まれ、１フレーム分遅延して読み出されて、映像表示素子１０に映像信号が供給される。
【００２１】
このとき、信号検出モジュール１３は、入力映像信号に付随する同期信号をモニタし、信号入力が継続している場合には、タイミング制御モジュール１４に、入力信号が継続していることを入力する。従って、信号処理モジュール１２と画像メモリ１５とにおいて、１フレーム分の画像データの書き込みと読み出しが繰り返えされ、映像表示素子１０に映像が形成される。
【００２２】
一方、信号入力ポート１１に入力映像信号がない（無信号状態である）ことが信号検出モジュール１３で検出された場合、タイミング制御モジュール１４の制御により、信号処理モジュール１２は、画像メモリ１５の２つの記憶領域Ａ及びＢのうち、現在画像データが書き込み中である領域と異なる（残りの）領域の映像データを読み出して、映像表示素子１０に供給する。すなわち、信号入力ポート１１に入力映像信号がない（無信号状態である）ことが信号検出モジュール１３で検出された場合、タイミング制御モジュール１４の制御により、画像メモリ１５の２つの記憶領域Ａ及びＢに対する交互の画像データの書き込みが停止される。このことは、信号処理モジュール１２により読み出され、映像表示素子１０に供給される画像データは、同一の記憶領域に記憶されている画像データを繰り返し読み出すことに他ならない。従って、映像表示素子１０には、信号入力ポート１１に入力映像信号の入力が無くなる直前の１フレーム分の画像データに基づく映像が繰り返し出力される。
【００２３】
このように、信号入力ポート１１に入力される入力信号（入力映像）が絶たれた場合には、直前に入力していた映像信号の画像データが継続して表示される。
【００２４】
従って、プレゼンに用いたＰＣ（Personal Computer）との間で映像信号の受け渡しに用いたケーブルが次のプレゼンに用いるＰＣと接続されるまでの間、あるいは予め用意された次のプレゼン用のプログラムが起動されるまでの間、映像表示装置（プロジェクタ装置）１からは、直前に入力していた映像信号の画像データが継続して表示される。これにより、無信号を示す文字列あるいは記号（ロゴマーク）やブルーバック（画面または表示）として特別な映像を用意する必要がなくなり、プロジェクタ装置１に要求されるメモリの容量が、低減される。
【００２５】
なお、上述した説明は、映像信号と同期信号が分離した入力信号についての動作例であるが、ＤＶＩ（Digital Visual Interface）規格の入力信号やＨＤＭＩ（High-definition Digital Media Interface）に準拠した入力信号、あるいはコンポジットビデオ（Composite Video）信号であっても、信号入力ポートへの入力信号の有無を検出することにより、同様に実現可能である。
【００２６】
また、上述した直前の画像データの繰り返し再生は、映像入力（入力信号）が途絶えてから事前に設定した時間だけ継続することも可能である。
【００２７】
以上説明したように、この発明の実施の一形態を摘要することで、映像信号の受け渡しに用いるケーブル等の着脱の間、あるいは予め用意されたプログラムが起動されるまでの間、映像表示装置（プロジェクタ装置）から、直前に入力していた映像信号の画像データが継続して表示される。これにより、無信号を示す文字列あるいは記号（ロゴマーク）やブルーバック（画面または表示）として特別な映像を用意する必要がなくなり、映像表示装置に要求されるメモリの容量が、低減される。
【００２８】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００２９】
【図１】この発明の一実施形態が摘要される映像表示装置の一例を示す概略図。
【図２】図１に示した映像表示装置に用いる記憶装置（画像メモリ）の動作の一例を説明する概略図。
【符号の説明】
【００３０】
１…映像表示装置、１０…映像表示素子、１１…信号入力ポート、１２…信号処理モジュール、１３…信号検出モジュール、１４…タイミング制御モジュール、１５…画像メモリ、１６…レンズ、１７…照明装置。
【図１】
2010152007.tif 000003
【図２】
2010152007.tif 000004